(57)【要約】【課題】人または家畜、ペットの糞尿からのアンモニアに由来する臭気低減を目的とし、天然物由来の酸である温泉水を利用した脱臭方法、及び脱臭剤ならびにその容器を提供する。また、脱臭剤として利用された後の温泉水溶液はアルミニウムイオンを除去した後、肥料として利用し、植物栽培へ活用することとする。【解決手段】温泉又は鉱泉由来の酸性水をそのまま用いるか又は濃縮し、おおよそｐＨ２以下の濃縮酸性水を用意する工程と、前記濃縮酸性水を家庭内環境、堆肥、家畜糞尿、廃棄物又はそれらの処理施設から発生するアンモニアガスを含む空気と接触させてアンモニアガスを前記濃縮酸性水に吸着させる工程と、水酸化アルミニウム沈殿量からその脱臭効果消滅の判断を可能とする工程を含む。【選択図】なし【特許請求の範囲】
【請求項１】
温泉又は鉱泉由来の酸性水をそのまま用いるか又は濃縮し、おおよそｐＨ２以下の濃縮酸性水を用意する工程と、前記濃縮酸性水を家庭内環境、堆肥、家畜糞尿、廃棄物又はそれらの処理施設から発生するアンモニアガスを含む空気と接触させてアンモニアガスを前記濃縮酸性水に吸着させる工程と、を含むことを特徴とするアンモニア臭の脱臭方法。
【請求項２】
前記濃縮酸性水のｐＨ値が１．２以下である請求項１に記載の脱臭方法。
【請求項３】
前記濃縮酸性水を用意する工程において、前記温泉又は鉱泉由来の酸性水を少なくとも２倍濃縮する請求項１又は２に記載の脱臭方法。
【請求項４】
前記濃縮酸性水とアンモニアガスを含む空気とを接触させる工程において、一定量の前記濃縮酸性水がアンモニアガスを吸着して水酸化アルミニウムを主成分とする沈殿が生じた後に、その沈殿量から当該アンモニア吸着水の全部を、新鮮な濃縮酸性水と交換する工程をさらに含む請求項１〜３いずれか一項に記載の脱臭方法。
【請求項５】
請求項４に記載の方法を実施することにより得られるアンモニア吸着水から水酸化アルミニウムを主成分とする沈殿を除去した後の上澄み液からなり、アンモニウムイオンの形態で窒素成分を含むことを特徴とする液体肥料。
【請求項６】
温泉又は鉱泉由来の酸性水を少なくとも２倍濃縮して得られる濃縮酸性水からなる脱臭剤であって、前記酸性水が、硫酸イオン、硫酸水素イオン及び塩素イオンの少なくとも１種を１００ｍｇ／ｋｇ以上含み、かつ濃縮酸性水のｐＨ値がおおよそ２以下であることを特徴とする脱臭剤。
【請求項７】
前記濃縮酸性水のｐＨ値が１．２以下である請求項６に記載の脱臭剤。
【発明の詳細な説明】
【技術分野】
【０００１】  本発明は、天然由来の温泉水を脱臭剤として利用するための容器に関する。さらに詳しくは、所定のｐＨを有する温泉又は鉱泉由来の濃縮酸性水を用意する工程と、当該濃縮酸性水を家庭内環境、堆肥、家畜糞尿、廃棄物又はそれらの処理施設から発生するアンモニアガスを含む空気と接触させてアンモニアガスを前記濃縮酸性水に吸着させる工程と、を含むアンモニア臭の脱臭方法、当該方法に使用しうる脱臭剤、並びに脱臭後のアンモニア吸着水の水酸化アルミニウム含む沈殿物の量から、その脱臭効果を容易に判定しうる容器と、その沈殿物を除去した上澄み液からなる液体肥料等に関する。
【背景技術】
【０００２】  近年、生活の豊かさや衛生意識の改善により、臭気に対する注目が強まっている。家庭内など生活環境中にはトイレから発生する糞尿由来の臭気や浴室から発生するタンパク質の分解による臭気があり、それらはアンモニアを含んでいる。アンモニアは硫酸やリン酸などの酸液との中和反応により、吸着・吸収することが知られている（例えば、特許文献１参照）。現在の消臭剤は、社会的事情から化学合成物を有効成分とするものから、天然物質を有効成分とする消臭剤や天然物質を調製加工した消臭剤へと消費者のニーズが移行している（例えば、特許文献２参照）。今後も社会的事情を反映した天然由来を求める消費動向が続き、市場規模は縮小しないと考えられる。【０００３】  日本国内における家畜糞尿の堆肥化処理工程の中で、窒素成分中の多くが大気中にアンモニアとして揮散すると推定されており、畜産の占める割合は全体の約６０％を占め、堆肥化における窒素損失のそのほとんどはアンモニア揮散によるものという報告がある。アンモニアの揮散は、大気汚染や土壌の酸性化の原因となっており、堆肥化は環境負荷の高い技術として、特にＥＵ諸国からは否定的な意見が出されている。【０００４】  アンモニアは化学肥料の重要な窒素源であり、アンモニアを家庭内等の生活環境や堆肥化過程で回収・資源化し、肥料へ変換することは、リサイクル社会への寄与や環境汚染の抑制、処理コストの低減化や循環型農業の観点から好ましい。この肥料化の手法としてアンモニアリサイクラー（例えば、特許文献１参照）や吸引通気式堆肥化装置（例えば、特許文献３参照）が開発されており、アンモニアは強酸性である硫酸溶液やリン酸溶液にて薬液脱臭され硫酸アンモニウム溶液やリン酸アンモニウム溶液として回収される。【０００５】  しかし、薬液脱臭の際の反応剤である硫酸は毒物および劇薬取締法に指定され、その保管や管理に規制が加わるため一般的な普及に課題があり、特に家庭での利用には危険を伴う。リン酸についても費用の課題がある。
【先行技術文献】
【特許文献】
【０００６】
【特許文献１】  特開２００６−２４７５８７号公報
【特許文献２】  特開２００５−１６８５７９号公報
【特許文献３】  特開２００５−３５８１１号公報
【発明の概要】
【発明が解決しようとする課題】
【０００７】  前記特許文献２に開示される先行技術文献の脱臭剤は、アンモニアと反応させる反応剤として、天然物由来の有効成分を加工調製したものを用いることによりアンモニアを吸着・吸収させ、臭気を低減させる。しかし、反応後の溶液もしくは固形物は再び有効利用されることは少なく、多くは廃棄されてしまう。【０００８】  前記特許文献１、３に開示される先行技術は、アンモニアと反応させる反応剤として、硫酸やリン酸を用いることによりアンモニアを吸着・吸収させて臭気を低減させる。しかし、硫酸は劇薬であり、リン酸は購入に伴うコストもかかることが課題となっている。さらに、工業的な方法で硫酸やリン酸が生成されることから、これらを用いた場合、有機農産物や特別栽培農産物における肥培管理の際の肥料として活用することはできない。【０００９】  我が国が誇る地下資源の１つである温泉水の中には強酸性のものが存在するが有効利用されていないのが現状である。この温泉水は、湧出量も莫大な量であり、泉質も安定し国内各所に存在する。しかし、温泉水の中には植物成長を阻害するアルミニウムイオンを初めとする金属イオンを含んでいるものがあり、肥料として用いる場合の問題となる。【００１０】  そこで、本発明は、上記従来技術の問題点を解決し、人または家畜、ペットの糞尿からのアンモニアに由来する臭気低減を目的とするものであって、天然物由来の酸である温泉水を利用する脱臭方法及び脱臭剤として活用するための容器を提供する。そして、脱臭剤として利用された後の温泉水溶液はアルミニウムイオン等の金属イオンを除去した後、肥料として使用し、植物栽培への活用を図ることを目的とする。
【課題を解決するための手段】
【００１１】  すなわち、本発明の第１の視点におけるアンモニア臭の脱臭方法は、温泉又は鉱泉由来の酸性水を一定程度、濃縮し、おおよそｐＨ２以下の濃縮酸性水を用意する工程と、前記濃縮酸性水を家庭内環境、堆肥、家畜糞尿、廃棄物又はそれらの処理施設から発生するアンモニアガスを含む空気と接触させてアンモニアガスを前記濃縮酸性水に吸着させる工程と、アンモニアガスを前記濃縮酸性水に接触させることによる生じる沈殿物の量から、その脱臭効果を容易に判定する工程を含むことを特徴とする。前記濃縮酸性水のｐＨ値は１．２以下であることが好ましい。前記温泉又は鉱泉由来の酸性水は、硫酸イオン、硫酸水素イオン及び塩素イオンの少なくとも１種を１００ｍｇ／ｋｇ以上含み、かつ前記濃縮酸性水を用意する工程において、当該酸性水を少なくとも２倍濃縮することが好ましい。さらに好ましくは、前記酸性水を約５倍、又は約１０倍、あるいはそれ以上に濃縮して用いられる。【００１２】  本発明の１つの実施形態において、前記濃縮酸性水とアンモニアガスを含む空気とを接触させる工程において、一定量の前記濃縮酸性水中の金属イオンがアンモニアガスと吸着すると、それによりｐＨが上昇する。ｐＨの上昇に従い、水酸化アルミニウムを主成分とする沈殿が生じる。その沈殿物の発生量は泉質、濃縮により変化し、中性で飽和状態になったときの発生量をあらかじめ実験的に明らかにすることができる。すなわち、その発生量から脱臭効果の消滅の判断を特別な方法を用いることなく行うことができ、当該アンモニア吸着水の全部を、新鮮な濃縮酸性水と交換する工程をさらに含むことができる。【００１３】  本発明の他の視点において、前記脱臭方法を実施することにより得られるアンモニア吸着水から水酸化アルミニウムを主成分とする沈殿を除去した後の上澄み液からなり、アンモニウムイオンの形態で窒素成分を含むことを特徴とする液体肥料が提供される。【００１４】  本発明のさらに異なる視点において、温泉又は鉱泉由来の酸性水を少なくとも２倍濃縮して得られる濃縮酸性水からなる脱臭剤が提供され、当該脱臭剤は、前記酸性水が、硫酸イオン、硫酸水素イオン及び塩素イオンの少なくとも１種を１００ｍｇ／ｋｇ以上含み、かつ濃縮水のｐＨ値がおおよそ２以下であることを特徴とする。前記濃縮酸性水のｐＨ値は１．２以下であることが好ましい。【００１５】  前記濃縮酸性水は、温泉又は鉱泉由来の酸性水を２倍以上濃縮することが好ましく、より好ましくは１０倍以上に濃縮して用いられる。
【発明の効果】
【００１６】  温泉水を用いてアンモニアを回収し、脱臭剤および肥料に活用するには強酸性の液体であることが望ましい。温泉水の中には、その強酸性のため河川への直接放流が難しく中間処理施設を設け、下流域の湖水の生態系保持や農業用水の保全や治水のため、費用をかけて中和処理を行っているものもある。地下資源に乏しい我が国において湧出量および泉質が周年安定供給可能な温泉水を様々な産業で利用することが可能となれば、臭気問題の解決のみならず、環境保全や資源開発の一助ならびに公共処理費用の低減につながる。さらに、これらの肥料により栽培された農産物から地域農産品の開発による地域産業への貢献に寄与するものと考えられる。【００１７】  人や糞尿由来のアンモニアを温泉水にて脱臭した後の肥料成分を含む液体は新規の肥料であり、あらゆる植物や農作物への利用の可能性があり、この肥料を介した植物体の反応による特異的な産物の生産をはじめ、生理活性物質の探索など、研究開発が進むことにより新産業創出への可能性が高い。有機農産物や特別栽培米では、化学肥料ではない窒素肥料が求められている。このような場合においても、化学的に合成されたものではない、人や糞尿由来のアンモニアと天然物由来の酸とを反応させた、肥料として活用できる可能性がある。【００１８】  炭消臭剤や緑茶消臭剤が開発され市販されている。今後も社会的な背景から天然物由来を活用した製品を求める消費者の多様な趣向に応じることができる。さらには化学合成によらないことや劇薬である硫酸や高価なリン酸を用いないことから安全な脱臭剤を提供できる。脱臭剤より得られた臭気を低減する効果が消滅した後の溶液は肥料として、樹木・草花や家庭菜園等の農作物へ活用可能であり、家庭内において有効活用がなされ得る。
【図面の簡単な説明】
【００１９】
【図１】本発明の脱臭方法を実用化するために必要な容器の概念図である。
【図２】実施例で用いた温泉水を採取した場所を示す北海道、東北地方の地図である。
【図３】各種温泉水原液のアンモニア吸着能を比較したグラフである。
【図４】濃縮した各種温泉水のアンモニア吸着能を比較したグラフである。
【図５】濃縮した各種温泉水の窒素成分の吸着能を比較したグラフである。
【図６】各温泉水の濃縮倍率とｐＨとの関係を示すグラフである。
【図７】アンモニア吸着水の上澄みと沈殿におけるアルミニウムイオン濃度分布を示すグラフである。
【図８】アンモニアガス吸着後の沈殿物発生量比を示すグラフである。
【発明を実施するための形態】
【００２０】（定義）
本明細書において、用語「温泉」とは、一般的に、地中から湧出する温水、鉱水及び水蒸気その他のガス（炭化水素を主成分とする天然ガスを除く。）であって、泉源における水温が２５℃以上であり、炭酸ガスや各種イオンを含むものをいう。これに対し、水温が２５℃未満のものは、冷泉または鉱泉と呼ばれることがあり、本明細書ではこれらをまとめて「温泉又は鉱泉」と称する。温泉水には、硫酸や塩酸などの形態で多量の水素イオンを含有するものがあり、ｐＨが２〜４程度のものを酸性泉、ｐＨが２未満のものを特に強酸性泉と呼ばれている。本明細書では、このような酸性の温泉水を、「温泉又は鉱泉由来の酸性水」と称する。
【００２１】  本発明の脱臭方法に用いる温泉水は、温泉又は鉱泉由来の酸性水であれば特に限定されない。当該酸性水のｐＨが十分に低い場合はそのまま用いることができるが、さらに濃縮しておおよそｐＨ２以下にして用いることが好ましい。本明細書においては、このような十分に低下したｐＨ値を有する、温泉又は鉱泉由来の酸性水を「濃縮酸性水」と称する。当該濃縮酸性水としてはｐＨ１．２以下のものがさらに好ましい。
【００２２】  酸性の温泉水の中には陽イオンとしてアルミニウムを含むものが多く、温泉１ｋｇ中に１００ｍｇ以上のアルミニウムを含む場合もある。一方、酸性土壌中のアルミニウム含量は、植物の成長に影響する重要な要素であることが知られている。水溶化したアルミニウムイオンが農作物その他の植物に及ぼす害として、例えば、肥料として土壌に添加したリン酸と結合し、難溶性の塩を形成するため施肥効率が低下や根の成長阻害を引き起こす場合がある。しかしながら、植物の成長に悪影響を及ぼすアルミニウムイオンは、酸性条件下ではイオン化して水に溶解しているが、酸性の温泉水がアンモニアを吸収して中和されると急激に溶解度が低下し、沈殿が生ずることが分かっている。従って、本発明の脱臭方法において、一定量の濃縮酸性水がアンモニアガスを吸着してｐＨが上昇し、水酸化アルミニウムを主成分とする沈殿が生じたものを「アンモニア吸着水」と称する。この沈殿を除去して得られる上澄み液は、アルミニウム等の植物の成長を阻害する因子が除去されているため肥料として好ましいと考えられる。同時に、本発明の脱臭方法において、一定量の濃縮酸性水がアンモニアガスを吸着して水酸化アルミニウムを主成分とする沈殿が生じ、それが、一定量に達したときは、当該濃縮酸性水のｐＨが上昇して、もはやアンモニア吸着能力が低下している。そのため、このｐＨが上昇したアンモニア吸着水の全部を新鮮な濃縮酸性水と交換することが好ましい。
【００２３】（アンモニア臭の脱臭方法）
以下、本発明を実施する形態を図面を参照して詳細に説明する。図１は、本発明の方法を実用化するために必要な容器の概念図である。
【００２４】  図１において、本容器を人や糞尿由来のアンモニアを含む雰囲気中に設置する。開口部２から、濃縮酸性水３とアンモニアが接触することにより、アンモニアが吸着し、脱臭される。それに伴いアンモニア吸着水中のｐＨが上昇し、濃縮酸性水３に含まれるアルミニウムイオン等が比重差に伴う重力沈降によりゲル状の沈殿物を生じ、沈殿槽７に集積する。アンモニアとの接触が進むに従い、濃縮酸性水は中性となり、沈殿槽上部９までゲル状沈殿物１０が集積し、それを目視することにより、脱臭効果消滅の合図となる。沈殿物１０には、植物成長を阻害する金属イオンが含まれることから、フィルター１を介して分離し、植物体１５へ施肥し、肥料として利用する。
【００２５】  温泉又は鉱泉由来の酸性水を濃縮する方法は、当該温泉水等の原液を、天日もしくは通風等により人為的エネルギーを加えることなく乾燥させる自然乾燥法、０．５〜０．２気圧の減圧状態を作り出し、常圧時に減圧した場合の沸点以上の温度にすることで該溶液を濃縮する減圧乾燥法、凍結した後真空状態で昇華乾燥させ該溶液を濃縮させる凍結乾燥法、該溶液に圧力をかけ、浸透膜を通し水分子だけを透過させ濃縮させる逆浸透膜法、加熱した熱風等により該溶液を濃縮する加熱乾燥法等が含まれるが、本発明はこれらの濃縮法に限定されるものではない。
【００２６】（本発明の消臭剤）
さらに本発明は、上記濃縮酸性水からなる脱臭剤を提供するものである。当該濃縮酸性水は、温泉又は鉱泉由来の酸性水（以下「源泉」という場合がある。）を少なくとも２倍濃縮して得られるが、好ましくは源泉を１０倍、さらに好ましくはそれ以上、濃縮して用いられる。本発明の脱臭剤に用いる源泉は、硫酸イオン、硫酸水素イオン及び塩素イオンの少なくとも１種を１００ｍｇ／ｋｇ以上含むが、好ましくはこれらの酸性イオンの総量が１０００ｍｇ／ｋｇ以上含むものであり、さらに好ましくはこれらのいずれか１種を１０００ｍｇ／ｋｇ以上含むものである。このようにして得られる濃縮酸性水は、そのｐＨ値がおおよそ２以下であるが、当該濃縮酸性水のｐＨ値が１．２以下であることが脱臭剤としての効果を長時間維持するうえで好ましい。
【００２７】  本発明の消臭剤の使用形態は、液状であるため、家庭内環境、特に、部屋、トイレ、冷蔵庫、下駄箱、車内などの空間に置いて、空間中の悪臭成分、例えばペットの糞尿由来のアンモニア臭等を消臭する据え置き型消臭剤として有用である。本発明の消臭剤組を、据え置き型として用いるには、上記濃縮酸性水を、例えば、透明な合成樹脂製容器に入れ、消臭すべき空間に設置すればよい。（もしくは吹き付ける装置を用いて接触させるとよい。）
【実施例】
【００２８】  以下に本発明の製造方法の詳細について、実施例等を挙げて説明する。なお、本発明はこれらの実施例に限定されるものではない。本実施例では、図２に示す４箇所の温泉（川湯温泉（北海道上川郡弟子屈町；以下「温泉水１」と称する。）、酸ヶ湯温泉水（青森県青森市；以下「温泉水２」と称する。）、玉川温泉（秋田県仙北市；以下「温泉水３」と称する。）、蔵王温泉（山形県山形市；以下「温泉水４」と称する。））から源泉を採取し、以下の実験に用いた。なお、採取した４箇所の温泉水に含まれる各主成分の含有量を以下の表１に示す。【００２９】
【表１】
2014018795.tif 000002
【実施例１】
【００３０】温泉水原液のアンモニア吸着試験
上述した温泉水１〜４及び地下水の５種類と対照として５重量％（５％（ｗｔ％）の硫酸水溶液を反応剤とし、それぞれ１ｍｌ、２ｍｌ、１０ｍｌ、２０ｍｌ及び１００ｍｌの反応剤を５００ｍｌ容のポリエチレン容器に先に投入し、次いで、シリンジにて採取した定量のアンモニアガス５０ｍｌを注入して１分間振とうした。その後、容器内部に残った気体をアンモニアガス検知管で１００ｍｌ吸引し、残留アンモニア濃度を測定した。その結果を図３に示す（単位はｐｐｍ）。【００３１】  図３ａは温泉水１と５％硫酸を示すグラフである。図３ｂは温泉水２と５％硫酸を示すグラフである。図３ｃは温泉水３と５％硫酸を示すグラフである。図３ｄは温泉水４と５％硫酸を示すグラフである。図３ｅは地下水と５％硫酸を示すグラフである。原液の温泉水の中には試験液の量が増えるに従い、温泉水３のように地下水よりも有効で、５％硫酸と同等程度のアンモニアを吸着する能力を有するものがあることが分った。
【実施例２】
【００３２】濃縮した温泉水のアンモニア吸着試験
２０００ｍｌ用の丸底フラスコに実施例１と同じ５種類の試験液をそれぞれ注入後，マントルヒーター（ＨＦ−２０００Ｔ：アズワン（株））にて加熱し、２倍、５倍、１０倍に濃縮した。また，加熱濃縮しない試験液（以下、０倍という）についても準備した。硫酸については濃縮せず、すべて５％硫酸（％）を用いた。これらの試験液のそれぞれ２０ｍｌを５００ｍｌ容のポリエチレン容器に先に投入し、実施例１と同様の方法でアンモニアガスと接触させた後、残留アンモニア濃度を測定した。その結果を図４に示す（単位はｐｐｍ）。図４において、棒グラフは各濃縮倍率で濃縮した温泉水を用いたときの残留アンモニア濃度であり、折れ線グラフは、対照実験として５％硫酸水溶液を用いたときの残留アンモニア濃度である。【００３３】  図４ａは温泉水１と５％硫酸を示すグラフである。図４ｂは温泉水２と５％硫酸を示すグラフである。図４ｃは温泉水３と５％硫酸を示すグラフである。図４ｄは温泉水４と５％硫酸を示すグラフである。図４ｅは地下水と５％硫酸を示すグラフである。図４ａ、ｂ及びｃの図のように濃度を高めることにより、アンモニアを吸着する能力が高まる効果があることが分った。
【実施例３】
【００３４】濃縮した酸性水の窒素成分の吸着試験
実施例２と同じ試験液及び濃縮した濃縮液を反応液として用意し、それぞれ２０ｍｌを５００ｍｌ容のポリエチレン容器に先に投入し、実施例１と同様の方法でアンモニアガスと接触させた後、容器中に残された各反応液を１００ｍｌ容の容器に回収し、ＡＯＡＣ（１９９０）に従い，ケルダール法（Ｋｊｅｌｔｅｃ８１００：ＦＯＳＳジャパン（株）東京）にて窒素成分を測定し、その結果を図５に示す。【００３５】  図５において、棒グラフは各濃縮倍率で濃縮したそれぞれの温泉水が吸収した窒素成分の量であり、折れ線グラフは、対照実験として５％硫酸水溶液を用いたときの窒素成分量である。図５ａは温泉水１と５％硫酸を示すグラフである。図５ｃは温泉水３と５％硫酸を示すグラフである。図５ｄは温泉水４と５％硫酸を示すグラフである。図５ｅは地下水と５％硫酸を示すグラフである。窒素成分の場合、すべての図に示すように濃度を高めても窒素成分含量は改善されないが温泉水で５％硫酸と同等の窒素成分含量であるとともに地下水より有効であることがわかる。
【実施例４】
【００３６】窒素成分吸着試験
実施例１と同じ５種類の試験液並びに対照として５重量％の硫酸水溶液について、それぞれ原液及び１０倍濃縮液を用意した。測定方法は９９．９％液化アンモニアを流量計で調節し１０ｍｌ／秒とし、各試験液は５００ｍｌ容のガラス容器に２５０ｍｌ入れ、準備したアンモニアガスを連続５分間、上記流量で３０００ｍｌ通気させ飽和状態にした。その後、遊離アンモニアを９０℃で３０分間恒温加熱処理し、ＡＯＡＣ（１９９０）に従い，ケルダール法（Ｋｊｅｌｔｅｃ８１００：ＦＯＳＳジャパン（株）東京）にて窒素成分を分析した。
その結果を以下の表２に示す。【００３７】
【表２】
2014018795.tif 000003
【００３８】  温泉水原液を用いたときに比べ、１０倍濃縮液を用いた場合は窒素成分含量が高く、温泉水３では５％硫酸を上回る量の窒素を吸着しており、窒素成分を取り込む能力が高いことがわかる。
【実施例５】
【００３９】温泉水の濃縮とｐＨの変化
温泉水３及び４のそれぞれを、真空乾燥器にて、２倍、５倍及び１０倍まで濃縮した後、ガラス電極法（ＨＯＲＩＢＡ社製）（Ｄ−２１）にて、原液及び各濃縮液のｐＨを計測した。その結果を図６に示した。いずれの温泉水でも濃縮倍率が高くなると共に、ｐＨが低下することが分かった。温泉水３では濃縮前の原液でもｐＨ１．２以下であるが、温泉水４では１０倍濃縮することによってｐＨが約１．２に低下している。実施例１〜４の結果と合わせると、温泉水原液又は濃縮液のｐＨが約１．２以下のときにアンモニア吸着能が顕著に向上することが分かった。
【実施例６】
【００４０】アンモニアガス吸着後のアルミニウムイオン濃度の測定
温泉水３及び４のそれぞれにアンモニアを接触反応させ、沈殿が生じた後、６０分後にそれぞれ上澄みと沈殿物を採取した。得られた沈殿物と上澄みをそれぞれ酸分解−ＩＣＰＭＳ法にてアルミニウムイオン濃度を分析した。その結果を図７に示した。
図７に示したように、アンモニアを吸着して沈殿が生じたアンモニア吸着水の上澄みには、ほとんどアルミニウムイオンが含まれておらず、濃縮酸性水中のアルミニウムイオンは沈殿物として分液除去するか、フィルターを介して除去しうると考えられる。
【実施例７】
【００４１】アンモニアガス吸着後の沈殿物発生量の測定
４種の温泉水を０倍、２倍、５倍、１０倍に濃縮して、アンモニアと十分に接触反応させた後に２４時間静沈した。その沈殿物の発生量の割合を図８に示した。
図８に示すように濃縮するに従い、沈殿物の発生量割合が増加するとともに、その量は泉質と濃縮倍率により異なる。そのため、各泉質の温泉水について、実験的に濃縮倍率の変化による脱臭効果と沈殿物量を明らかにすることにより、容器の沈殿槽の容量を泉質に限らず一定にすることが可能となる。
【産業上の利用可能性】
【００４２】  特殊な加工をすることなく、天然由来の温泉を利用した脱臭剤として生活環境中や堆肥から発生するアンモニアを吸着・吸収することが可能であり、化学合成された物質を好まない消費者へ消臭剤を提供できる。消臭効果の低下を沈殿量から容易に判断でき、そのアンモニア吸着液は化学合成ではない肥料として植物栽培の肥料として利用できる。
【符号の説明】
【００４３】１  沈殿物除去フィルター
２  外気接触部
３  濃縮酸性水
４  持ち手ハンドル
５  沈殿槽上端部
６  窪み部分
７  沈殿槽
８  脱臭効果低下後の濃縮酸性水であって、窒素成分を持つ液体肥料
９  沈殿槽上端部
１０  沈殿槽に集積された水酸化物
１１  フィルターを介して外部へ移送
１２  液面上部
１３  沈殿物と分離し、窒素成分を持つ液体肥料
１４  沈殿槽から流出する沈殿物
１５  肥料成分を持つ液体肥料を植物体へ施用
１６  沈殿槽より流出した沈殿物が端部に再集積
【図１】
2014018795.tif 000004
【図２】
2014018795.tif 000005
【図３】
2014018795.tif 000006
【図４】
2014018795.tif 000007
【図５】
2014018795.tif 000008
【図６】
2014018795.tif 000009
【図７】
2014018795.tif 000010
【図８】
2014018795.tif 000011